(57)【要約】【課題】  製造コストの増加を抑制しつつ、接続ミスを防止する。【解決手段】  光伝送装置は、第１ポートに対応して設けられた第１発光部と、第２ポートに対応して設けられた第２発光部と、光信号を遮断する第１状態と光信号を通過させる第２状態との間で切り替わり、第２状態のときに、第１ポートに光信号を伝送する光シャッタ部と、接続対象の第１ポートおよび第２ポートを選択し、選択した第１ポートおよび第２ポートに対応する第１発光部および第２発光部を、接続対象であることを示す発光状態に設定し、選択した第１ポートの光シャッタ部の状態を第２状態に設定し、選択した第２ポートで光信号を受けたとき、選択した第１ポートおよび第２ポートに対応する第１発光部および第２発光部を、接続対象であることを示す発光状態と異なる状態に設定する制御部とを有している。【選択図】  図１
2015162881.tif 000002
【特許請求の範囲】
【請求項１】
光信号を出力する第１ポートと前記光信号を受ける第２ポートとを光ケーブルで接続することにより、ユニット間を接続する光伝送装置であって、
前記第１ポートに対応して設けられ、対応する前記第１ポートに隣接して配置され、対応する前記第１ポートの状態に応じた発光になるように制御される第１発光部と、
前記第２ポートに対応して設けられ、対応する前記第２ポートに隣接して配置され、対応する前記第２ポートの状態に応じた発光になるように制御される第２発光部と、
前記第１ポートに対応して設けられ、前記光信号を遮断する第１状態と前記光信号を通過させる第２状態との間で切り替わり、前記第２状態のときに、対応する前記第１ポートに前記光信号を伝送する光シャッタ部と、
前記第１ポートおよび前記第２ポートを光ケーブルで接続する作業の開始を検出したとき、接続対象の前記第１ポートおよび前記第２ポートを選択し、選択した前記第１ポートおよび前記第２ポートに対応する前記第１発光部および前記第２発光部を、接続対象であることを示す発光状態に設定し、選択した前記第１ポートの前記光シャッタ部の状態を前記第２状態に設定し、選択した前記第２ポートで前記光信号を受けたとき、選択した前記第１ポートおよび前記第２ポートに対応する前記第１発光部および前記第２発光部を、接続対象であることを示す前記発光状態と異なる状態に設定する制御部と
を備えていることを特徴とする光伝送装置。
【請求項２】
光信号を出力する第１ポートと前記光信号を受ける第２ポートとを光ケーブルで接続することにより、ユニット間を接続する光伝送装置であって、
前記第１ポートに対応して設けられ、対応する前記第１ポートに隣接して配置され、対応する前記第１ポートの状態に応じた発光になるように制御される第１発光部と、
前記第２ポートに対応して設けられ、対応する前記第２ポートに隣接して配置され、対応する前記第２ポートの状態に応じた発光になるように制御される第２発光部と、
前記第１ポートを識別するための識別信号を前記光信号の主信号と異なる波長で生成する生成部と、
前記識別信号と前記主信号とを波長多重して前記光信号を生成し、前記光信号を前記第１ポートに伝送する結合部と、
前記第２ポートで受けた前記光信号を２つの経路に分ける分離部と、
前記２つ経路の一方を介して受ける前記光信号に含まれる前記識別信号に基づいて、前記第１ポートと前記第２ポートとが正しく接続されているか否かを判定する判定部と、
前記第１ポートと前記第２ポートとが正しく接続されていないことを検出したとき、接続対象の前記第１ポートおよび前記第２ポートを選択し、選択した前記第１ポートおよび前記第２ポートに対応する前記第１発光部および前記第２発光部を、接続対象であることを示す発光状態に設定し、選択した前記第１ポートの前記識別信号を含む前記光信号を、選択した前記第２ポートで受けたとき、選択した前記第１ポートおよび前記第２ポートに対応する前記第１発光部および前記第２発光部を、接続対象であることを示す前記発光状態と異なる状態に設定する制御部と
を備えていることを特徴とする光伝送装置。
【請求項３】
光信号を出力する第１ポートと前記光信号を受ける第２ポートとを光ケーブルで接続することにより接続される複数のユニットと、前記第１ポートに対応して設けられ、対応する前記第１ポートに隣接して配置され、対応する前記第１ポートの状態に応じた発光になるように制御される第１発光部と、前記第２ポートに対応して設けられ、対応する前記第２ポートに隣接して配置され、対応する前記第２ポートの状態に応じた発光になるように制御される第２発光部とを備えた光伝送装置内の接続ガイド方法であって、
前記第１ポートおよび前記第２ポートを光ケーブルで接続する作業の開始を検出したとき、接続対象の前記第１ポートおよび前記第２ポートを選択し、選択した前記第１ポートおよび前記第２ポートに対応する前記第１発光部および前記第２発光部を、接続対象であることを示す発光状態に設定し、選択した前記第１ポートに前記光信号を伝送し、選択した前記第２ポートで前記光信号を受けたとき、選択した前記第１ポートおよび前記第２ポートに対応する前記第１発光部および前記第２発光部を、接続対象であることを示す前記発光状態と異なる状態に設定する
ことを特徴とする光伝送装置内の接続ガイド方法。
【請求項４】
光信号を出力する第１ポートと前記光信号を受ける第２ポートとを光ケーブルで接続することにより接続される複数のユニットと、前記第１ポートに対応して設けられ、対応する前記第１ポートに隣接して配置され、対応する前記第１ポートの状態に応じた発光になるように制御される第１発光部と、前記第２ポートに対応して設けられ、対応する前記第２ポートに隣接して配置され、対応する前記第２ポートの状態に応じた発光になるように制御される第２発光部と、前記第１ポートを識別するための識別信号を前記光信号の主信号と異なる波長で生成する生成部と、前記識別信号と前記主信号とを波長多重して前記光信号を生成し、前記光信号を前記第１ポートに伝送する結合部と、前記第２ポートで受けた前記光信号を２つの経路に分ける分離部とを備えた光伝送装置内の接続ガイド方法であって、
前記２つ経路の一方を介して受ける前記光信号に含まれる前記識別信号に基づいて、前記第１ポートと前記第２ポートとが正しく接続されているか否かを判定し、
前記第１ポートと前記第２ポートとが正しく接続されていないことを検出したとき、接続対象の前記第１ポートおよび前記第２ポートを選択し、選択した前記第１ポートおよび前記第２ポートに対応する前記第１発光部および前記第２発光部を、接続対象であることを示す発光状態に設定し、選択した前記第１ポートの前記識別信号を含む前記光信号を、選択した前記第２ポートで受けたとき、選択した前記第１ポートおよび前記第２ポートに対応する前記第１発光部および前記第２発光部を、接続対象であることを示す前記発光状態と異なる状態に設定する
ことを特徴とする光伝送装置内の接続ガイド方法。
【発明の詳細な説明】
【技術分野】
【０００１】
本発明は、光伝送装置および光伝送装置内の接続ガイド方法に関する。
【背景技術】
【０００２】
波長分割多重（Wavelength Division Multiplexing）装置等の光伝送装置では、例えば、増幅部、多重分離部、波長選択スイッチ部等の機能毎にユニットが分かれている。以下、波長分割多重装置をＷＤＭ装置とも称する。ＷＤＭ装置内の各ユニットは、例えば、光ケーブルで接続されている。
【０００３】
近年、光信号の経路を切り替えることのできる光スイッチを介してユニット間を接続する光伝送装置が提案されている（例えば、特許文献１参照）。この種の光伝送装置では、光スイッチは、例えば、複数のミラーを用い、複数の入出力ポート間を接続する光パスを切り替える。例えば、光スイッチのミラーは、光スイッチの入出力ポートとインターフェースカードの入出力ポートとの接続関係を示す入出力ポート接続情報に基づいて、制御される。
【先行技術文献】
【特許文献】
【０００４】
【特許文献１】特開２００６−１５７３５９号公報
【発明の概要】
【発明が解決しようとする課題】
【０００５】
ＷＤＭ装置を構築する際、例えば、作業者は、マニュアル等を参照して、接続対象のユニット間を光ケーブルで接続する。このため、接続対象のポートの増加に伴い、接続作業が繁雑になり、接続ミスが発生しやすくなる。また、接続を間違えた場合、ＷＤＭ装置全体で主信号が疎通していないことを示す情報のみでは、接続ミスの箇所を特定することは困難である。なお、光スイッチを介してユニット間を接続する光伝送装置では、例えば、ユニット間を接続する光スイッチの分だけ、製造コストが増加する。
【０００６】
１つの側面では、本件開示の光伝送装置および光伝送装置内の接続ガイド方法は、製造コストの増加を抑制しつつ、接続ミスを防止することを目的とする。
【課題を解決するための手段】
【０００７】
一観点によれば、光信号を出力する第１ポートと光信号を受ける第２ポートとを光ケーブルで接続することにより、ユニット間を接続する光伝送装置は、第１ポートに対応して設けられ、対応する第１ポートに隣接して配置され、対応する第１ポートの状態に応じた発光になるように制御される第１発光部と、第２ポートに対応して設けられ、対応する第２ポートに隣接して配置され、対応する第２ポートの状態に応じた発光になるように制御される第２発光部と、第１ポートに対応して設けられ、光信号を遮断する第１状態と光信号を通過させる第２状態との間で切り替わり、第２状態のときに、対応する第１ポートに光信号を伝送する光シャッタ部と、第１ポートおよび第２ポートを光ケーブルで接続する作業の開始を検出したとき、接続対象の第１ポートおよび第２ポートを選択し、選択した第１ポートおよび第２ポートに対応する第１発光部および第２発光部を、接続対象であることを示す発光状態に設定し、選択した第１ポートの光シャッタ部の状態を第２状態に設定し、選択した第２ポートで光信号を受けたとき、選択した第１ポートおよび第２ポートに対応する第１発光部および第２発光部を、接続対象であることを示す発光状態と異なる状態に設定する制御部とを有している。
【０００８】
別の観点によれば、光信号を出力する第１ポートと光信号を受ける第２ポートとを光ケーブルで接続することにより、ユニット間を接続する光伝送装置は、第１ポートに対応して設けられ、対応する第１ポートに隣接して配置され、対応する第１ポートの状態に応じた発光になるように制御される第１発光部と、第２ポートに対応して設けられ、対応する第２ポートに隣接して配置され、対応する第２ポートの状態に応じた発光になるように制御される第２発光部と、第１ポートを識別するための識別信号を光信号の主信号と異なる波長で生成する生成部と、識別信号と主信号とを波長多重して光信号を生成し、光信号を第１ポートに伝送する結合部と、第２ポートで受けた光信号を２つの経路に分ける分離部と、２つ経路の一方を介して受ける光信号に含まれる識別信号に基づいて、第１ポートと第２ポートとが正しく接続されているか否かを判定する判定部と、第１ポートと第２ポートとが正しく接続されていないことを検出したとき、接続対象の第１ポートおよび第２ポートを選択し、選択した第１ポートおよび第２ポートに対応する第１発光部および第２発光部を、接続対象であることを示す発光状態に設定し、選択した第１ポートの識別信号を含む光信号を、選択した第２ポートで受けたとき、選択した第１ポートおよび第２ポートに対応する第１発光部および第２発光部を、接続対象であることを示す発光状態と異なる状態に設定する制御部とを有している。
【０００９】
別の観点によれば、光信号を出力する第１ポートと光信号を受ける第２ポートとを光ケーブルで接続することにより接続される複数のユニットと、第１ポートに対応して設けられ、対応する第１ポートに隣接して配置され、対応する第１ポートの状態に応じた発光になるように制御される第１発光部と、第２ポートに対応して設けられ、対応する第２ポートに隣接して配置され、対応する第２ポートの状態に応じた発光になるように制御される第２発光部とを備えた光伝送装置内の接続ガイド方法では、第１ポートおよび第２ポートを光ケーブルで接続する作業の開始を検出したとき、接続対象の第１ポートおよび第２ポートを選択し、選択した第１ポートおよび第２ポートに対応する第１発光部および第２発光部を、接続対象であることを示す発光状態に設定し、選択した第１ポートに光信号を伝送し、選択した第２ポートで光信号を受けたとき、選択した第１ポートおよび第２ポートに対応する第１発光部および第２発光部を、接続対象であることを示す発光状態と異なる状態に設定する。
【００１０】
別の観点によれば、光信号を出力する第１ポートと光信号を受ける第２ポートとを光ケーブルで接続することにより接続される複数のユニットと、第１ポートに対応して設けられ、対応する第１ポートに隣接して配置され、対応する第１ポートの状態に応じた発光になるように制御される第１発光部と、第２ポートに対応して設けられ、対応する第２ポートに隣接して配置され、対応する第２ポートの状態に応じた発光になるように制御される第２発光部と、第１ポートを識別するための識別信号を光信号の主信号と異なる波長で生成する生成部と、識別信号と主信号とを波長多重して光信号を生成し、光信号を第１ポートに伝送する結合部と、第２ポートで受けた光信号を２つの経路に分ける分離部とを備えた光伝送装置内の接続ガイド方法では、２つ経路の一方を介して受ける光信号に含まれる識別信号に基づいて、第１ポートと第２ポートとが正しく接続されているか否かを判定し、第１ポートと第２ポートとが正しく接続されていないことを検出したとき、接続対象の第１ポートおよび第２ポートを選択し、選択した第１ポートおよび第２ポートに対応する第１発光部および第２発光部を、接続対象であることを示す発光状態に設定し、選択した第１ポートの識別信号を含む光信号を、選択した第２ポートで受けたとき、選択した第１ポートおよび第２ポートに対応する第１発光部および第２発光部を、接続対象であることを示す発光状態と異なる状態に設定する。
【発明の効果】
【００１１】
本件開示の光伝送装置および光伝送装置内の接続ガイド方法は、製造コストの増加を抑制しつつ、接続ミスを防止できる。
【図面の簡単な説明】
【００１２】
【図１】光伝送装置および光伝送装置内の接続ガイド方法の一実施形態を示す図である。
【図２】ポート間の接続作業の開始から、１番目に選択したポート間が接続されるまでの光伝送装置の状態の一例を示す図である。
【図３】１番目に選択したポート間が接続されてから、２番目に選択したポート間が接続されるまでの光伝送装置の状態の一例を示す図である。
【図４】２番目に選択したポート間が接続されてから、３番目に選択したポート間が接続されるまでの光伝送装置の状態の一例を示す図である。
【図５】図１に示した光伝送装置における接続ガイドの動作の一例を示す図である。
【図６】光伝送装置および光伝送装置内の接続ガイド方法の別の実施形態を示す図である。
【図７】ガイド対象のポートに未接続のポートのペアが１つ存在するときの光伝送装置の状態の一例を示す図である。
【図８】ガイド対象のポートが誤接続されているときの光伝送装置の状態の一例を示す図である。
【図９】図６に示した光伝送装置における接続ガイドの動作の一例を示す図である。
【発明を実施するための形態】
【００１３】
以下、実施形態を図面を用いて説明する。
【００１４】
図１は、光伝送装置および光伝送装置内の接続ガイド方法の一実施形態を示している。図１の太線は、光信号の伝送路を示している。また、図中の×印は、光信号がシャッタ部ＳＨ（例えば、シャッタ部ＳＨ１２）で遮断されていることを示している。光伝送装置ＯＳＹＳは、例えば、波長分割多重（Wavelength Division Multiplexing）装置である。以下、波長分割多重装置をＷＤＭ装置とも称する。ＷＤＭ装置では、例えば、増幅部、多重分離部、波長選択スイッチ部等の機能毎にユニットが分かれている。ＷＤＭ装置内の各ユニットは、例えば、光ケーブルで接続されている。
【００１５】
例えば、光伝送装置ＯＳＹＳは、アンプユニットＵＡＭＰ、多重分離ユニットＵＭＬＤＸ、波長選択スイッチユニットＵＷＳＳ等の複数のユニットと、制御部ＣＴＬ１と、ボタンＢＴとを有している。なお、図１では、図を見やすくするために、アンプユニットＵＡＭＰ、多重分離ユニットＵＭＬＤＸおよび波長選択スイッチユニットＵＷＳＳ以外のユニットの記載を省略している。以下、アンプユニットＵＡＭＰ、多重分離ユニットＵＭＬＤＸ、波長選択スイッチユニットＵＷＳＳを、ユニットＵＡＭＰ、ＵＭＬＤＸ、ＵＷＳＳともそれぞれ称する。各ユニットＵＡＭＰ、ＵＭＬＤＸ、ＵＷＳＳは、例えば、光ファイバ等を含む光ケーブルＣＢＬ（ＣＢＬ１、ＣＢＬ２、ＣＢＬ３）で接続されている。
【００１６】
アンプユニットＵＡＭＰは、例えば、受信用のアンプユニットである。例えば、アンプユニットＵＡＭＰは、ポートＰＴ（ＰＴ１０、ＰＴ１１、ＰＴ１２、ＰＴ２００）、増幅部ＡＭＰ、シャッタ部ＳＨ（ＳＨ１０、ＳＨ１１、ＳＨ１２）、発光部ＬＥ（ＬＥ１０、ＬＥ１１、ＬＥ１２）を有している。
【００１７】
ポートＰＴ２００は、例えば、光伝送装置ＯＳＹＳの外部から光信号を受ける。増幅部ＡＭＰは、ポートＰＴ２００で受けた光信号を増幅する。シャッタ部ＳＨ１０、ＳＨ１１、ＳＨ１２は、増幅部ＡＭＰで増幅された光信号を受ける。なお、増幅部ＡＭＰから出力される光信号は、光スプリッタ（図中の黒丸）等により、シャッタ部ＳＨ１０、ＳＨ１１、ＳＨ１２に伝送される。
【００１８】
シャッタ部ＳＨは、光信号を遮断する第１状態と光信号を通過させる第２状態との間で切り替わる光シャッタ部の一例である。例えば、シャッタ部ＳＨは、光信号を出力するポートＰＴに対応して設けられる。そして、シャッタ部ＳＨは、例えば、第２状態のときに、光信号を接続先のポートＰＴに伝送する。以下、光信号を遮断する第１状態を閉状態とも称し、光信号を通過させる第２状態を開状態とも称する。図１の例では、シャッタ部ＳＨ１０、ＳＨ１１は、開状態であり、増幅部ＡＭＰから受ける光信号をポートＰＴ１０、ＰＴ１１に伝送する。また、例えば、シャッタ部ＳＨ１２は、閉状態であり、増幅部ＡＭＰとポートＰＴ１２との間の伝送路を遮断する。したがって、図１の例では、増幅部ＡＭＰで増幅された光信号は、ポートＰＴ１２に伝送されない。
【００１９】
ポートＰＴ１０、ＰＴ１１、ＰＴ１２は、光信号を出力する第１ポートの一例である。例えば、ポートＰＴ１０、ＰＴ１１、ＰＴ１２は、増幅部ＡＭＰからシャッタ部ＳＨを介して受けた光信号を出力する。また、例えば、ポートＰＴ１０、ＰＴ１１は、光ケーブルＣＢＬ１、ＣＢＬ２により、ユニットＵＷＳＳのポートＰＴ２０、ユニットＵＭＬＤＸのポートＰＴ２２にそれぞれ接続される。以下、光信号を出力する第１ポートを、出力ポートＰＴとも称する。
【００２０】
発光部ＬＥ１０、ＬＥ１１、ＬＥ１２は、光信号を出力する第１ポートに対応して設けられる第１発光部の一例である。例えば、発光部ＬＥ１０、ＬＥ１１、ＬＥ１２は、ポートＰＴ１０、ＰＴ１１、ＰＴ１２に対応して設けられ、対応するポートＰＴに隣接して配置される。そして、発光部ＬＥ１０、ＬＥ１１、ＬＥ１２は、対応するポートＰＴの状態に応じた発光になるように制御される。例えば、発光部ＬＥ１０、ＬＥ１１、ＬＥ１２は、ＬＥＤ（Light Emitting Diode）等の発光素子を有している。
【００２１】
波長選択スイッチユニットＵＷＳＳは、例えば、ポートＰＴ（ＰＴ１３、ＰＴ２０、ＰＴ２１）、波長選択スイッチＷＳＳ、シャッタ部ＳＨ１３、発光部ＬＥ（ＬＥ１３、ＬＥ２０、ＬＥ２１）を有している。
【００２２】
ポートＰＴ２０、ＰＴ２１は、光信号を受ける第２ポートの一例である。例えば、ポートＰＴ２１は、光ケーブルＣＢＬ３により、ユニットＵＭＬＤＸのポートＰＴ１４に接続される。そして、ポートＰＴ２１は、ユニットＵＭＬＤＸのポートＰＴ１４から出力される光信号を、光ケーブルＣＢＬ３を介して受ける。また、ポートＰＴ２０は、例えば、ユニットＵＡＭＰのポートＰＴ１０から出力される光信号を、光ケーブルＣＢＬ１を介して受ける。以下、光信号を受ける第２ポートを、入力ポートＰＴとも称する。
【００２３】
波長選択スイッチＷＳＳは、例えば、ポートＰＴ２０、ＰＴ２１から光信号を受け、任意波長の光信号を選択してシャッタ部ＳＨ１３に出力する。シャッタ部ＳＨ１３は、アンプユニットＵＡＭＰのシャッタ部ＳＨと同様である。例えば、シャッタ部ＳＨ１３は、開状態のとき、波長選択スイッチＷＳＳから受ける光信号をポートＰＴ１３に伝送する。また、例えば、シャッタ部ＳＨ１３は、閉状態のとき、波長選択スイッチＷＳＳとポートＰＴ１３との間の伝送路を遮断する。
【００２４】
ポートＰＴ１３は、光信号を出力する第１ポートの一例である。例えば、ポートＰＴ１３は、波長選択スイッチＷＳＳからシャッタ部ＳＨ１３を介して受けた光信号を出力する。また、例えば、ポートＰＴ１３は、光ケーブルＣＢＬにより、送信用のアンプユニットのポートＰＴに接続される。なお、図１では、図を見やすくするために、送信用のアンプユニット等の記載を省略している。
【００２５】
発光部ＬＥ１３は、アンプユニットＵＡＭＰの発光部ＬＥ１０と同様である。例えば、発光部ＬＥ１３は、ポートＰＴ１３に対応して設けられ、ポートＰＴ１３の状態に応じた発光になるように制御される。例えば、発光部ＬＥ１３は、ＬＥＤ等の発光素子を有し、ポートＰＴ１３に隣接して配置される。
【００２６】
発光部ＬＥ２０、ＬＥ２１は、光信号を受ける第２ポートに対応して設けられる第２発光部の一例である。例えば、発光部ＬＥ２０、ＬＥ２１は、ポートＰＴ２０、ＰＴ２１に対応して設けられ、対応するポートＰＴに隣接して配置される。そして、発光部ＬＥ２０、ＬＥ２１は、対応するポートＰＴの状態に応じた発光になるように制御される。例えば、発光部ＬＥ２０、ＬＥ２１は、ＬＥＤ等の発光素子を有している。
【００２７】
多重分離ユニットＵＭＬＤＸは、例えば、ポートＰＴ（ＰＴ１４、ＰＴ２２、ＰＴ１００、ＰＴ２０１）、合波器ＭＵＸ、分波器ＤＭＵＸ、シャッタ部ＳＨ１４、発光部ＬＥ（ＬＥ１４、ＬＥ２２）を有している。
【００２８】
ポートＰＴ１００は、例えば、トランスポンダ等に光信号を出力する。また、ポートＰＴ２０１は、例えば、トランスポンダ等から光信号を受ける。この実施形態では、ポートＰＴ１００、ＰＴ２０１は、接続ガイドの対象に含まれていない。
【００２９】
ポートＰＴ２２は、光信号を受ける第２ポートの一例である。例えば、ポートＰＴ２２は、ユニットＵＡＭＰのポートＰＴ１１から出力される光信号を、光ケーブルＣＢＬ２を介して受ける。分波器ＤＭＵＸは、例えば、ポートＰＴ２２から光信号を受け、受けた光信号を波長毎に分波する。そして、分波器ＤＭＵＸは、分波した光信号を、ポートＰＴ１００等を介して複数のトランスポンダにそれぞれ出力する。なお、図１では、図を見やすくするために、分波器ＤＭＵＸの出力先のポートＰＴのうち、ポートＰＴ１００以外の記載を省略している。
【００３０】
合波器ＭＵＸは、ポート２０１等を介して複数のトランスポンダから光信号を受け、受けた光信号を波長多重する。そして、合波器ＭＵＸは、波長多重した光信号をシャッタ部ＳＨ１４に出力する。なお、図１では、図を見やすくするために、合波器ＭＵＸの入力元のポートＰＴのうち、ポートＰＴ２０１以外の記載を省略している。
【００３１】
シャッタ部ＳＨ１４は、アンプユニットＵＡＭＰのシャッタ部ＳＨと同様である。例えば、シャッタ部ＳＨ１４は、開状態のとき、合波器ＭＵＸから受ける光信号をポートＰＴ１４に伝送する。また、例えば、シャッタ部ＳＨ１４は、閉状態のとき、合波器ＭＵＸとポートＰＴ１４との間の伝送路を遮断する。ポートＰＴ１４は、光信号を出力する第１ポートの一例である。例えば、ポートＰＴ１４は、合波器ＭＵＸからシャッタ部ＳＨ１４を介して受けた光信号を出力する。
【００３２】
発光部ＬＥ１４は、アンプユニットＵＡＭＰの発光部ＬＥ１０と同様である。例えば、発光部ＬＥ１４は、ポートＰＴ１４に対応して設けられ、ポートＰＴ１４の状態に応じた発光になるように制御される。例えば、発光部ＬＥ１４は、ＬＥＤ等の発光素子を有し、ポートＰＴ１４に隣接して配置される。
【００３３】
発光部ＬＥ２２は、波長選択スイッチユニットＵＷＳＳの発光部ＬＥ２０と同様である。例えば、発光部ＬＥ２２は、ポートＰＴ２２に対応して設けられ、ポートＰＴ２２の状態に応じた発光になるように制御される。例えば、発光部ＬＥ２２は、ＬＥＤ等の発光素子を有し、ポートＰＴ２２に隣接して配置される。
【００３４】
制御部ＣＬＴ１は、シャッタ部ＳＨの状態、発光部ＬＥの発光等を制御する制御部の一例である。制御部ＣＬＴ１は、例えば、ＣＰＵ（Central Processing Unit）を有している。例えば、制御部ＣＬＴ１は、ボタンＢＴ、ユニットＵＡＭＰ、ＵＷＳＳ、ＵＭＬＤＸ等に電気的に接続されている。例えば、制御部ＣＬＴ１は、ユニットＵＡＭＰ、ＵＷＳＳ、ＵＭＬＤＸ等のユニットに、シェルフのバックボードの配線を介して接続されている。制御部ＣＬＴ１は、例えば、ボタンＢＴが押下されたことを検出することにより、ポートＰＴ間の接続作業（出力ポートＰＴおよび入力ポートＰＴを光ケーブルＣＢＬで接続する作業）の開始を検出する。
【００３５】
例えば、制御部ＣＬＴ１は、出力ポートＰＴおよび入力ポートＰＴを光ケーブルＣＢＬで接続する作業の開始を検出したとき、接続対象の２つのポートＰＴ（出力ポートＰＴおよび入力ポートＰＴ）を選択する。そして、制御部ＣＬＴ１は、選択した２つのポートＰＴにそれぞれ対応する２つの発光部ＬＥを、接続対象であることを示す発光状態に設定する。さらに、制御部ＣＬＴ１は、選択した出力ポートＰＴに光信号を伝送するシャッタ部ＳＨの状態を開状態に設定する。
【００３６】
なお、入力ポートＰＴに接続されていない出力ポートＰＴのシャッタ部ＳＨは、接続対象として選択された出力ポートＰＴのシャッタ部ＳＨを除いて、閉状態に設定されている。
【００３７】
また、制御部ＣＬＴ１は、接続対象として選択した入力ポートＰＴで光信号を受けたとき、選択した２つのポートＰＴにそれぞれ対応する２つの発光部ＬＥを、接続対象であることを示す発光状態と異なる状態に設定する。ここで、接続対象であることを示す発光状態は、例えば、オレンジ色の光の点滅（以下、オレンジ点滅とも称する）である。なお、接続対象であることを示す発光状態は、オレンジ点滅に限定されない。例えば、接続対象であることを示す発光状態は、オレンジ色の光の点灯（以下、オレンジ点灯とも称する）でもよいし、赤色の光の点滅（以下、赤点滅とも称する）や赤色の光の点灯（以下、赤点灯とも称する）でもよい。
【００３８】
また、接続対象であることを示す発光状態と異なる状態は、例えば、接続対象であることを示す発光状態と視覚的に区別できる状態である。例えば、接続対象であることを示す発光状態と異なる状態は、緑色の光の点灯（以下、緑点灯とも称する）、青色の光の点灯（以下、青点灯とも称する）、緑色の光の点滅（以下、緑点滅とも称する）、青色の光の点滅（以下、青点滅とも称する）、消灯等である。なお、接続対象であることを示す発光状態と異なる状態は、緑点灯、青点灯、緑点滅、青点滅、消灯に限定されない。
【００３９】
ボタンＢＴは、例えば、ユーザにより操作される操作部の一部である。例えば、ボタンＢＴは、ポートＰＴ間を光ケーブルＣＢＬで接続する作業を開始するときに、ユーザにより押下される。なお、光伝送装置ＯＳＹＳは、例えば、ポートＰＴ間の接続作業を開始するときに操作される操作部として、ボタンＢＴの代わりにスイッチ等を有してもよい。
【００４０】
このように、光伝送装置ＯＳＹＳは、光信号を出力する出力ポートＰＴと光信号を受ける入力ポートＰＴとを光ケーブルＣＢＬで接続することにより、ユニット間（例えば、ユニットＵＡＭＰ、ＵＷＳＳ、ＵＭＬＤＸ）を接続する光伝送装置である。なお、光伝送装置ＯＳＹＳの構成は、この例に限定されない。例えば、図６に示すように、制御部ＣＬＴ１の一部は、各ユニット内に設けられてもよい。また、光伝送装置ＯＳＹＳ内のユニット間の接続関係（ポートＰＴ間の接続関係）は、例えば、ＲＯＡＤＭ（Reconfigurable Optical Add/Drop Multiplexer）、ＩＬＡ（In-Line Amplifier）、ＨＵＢ等の光伝送装置ＯＳＹＳの種類毎に異なる。
【００４１】
図２から図４は、光伝送装置ＯＳＹＳ内の接続ガイドの一例を示している。図２から図４の×印の意味は、図１の×印と同様である。図２から図４では、ポートＰＴ１０、ＰＴ２０のペア、ポートＰＴ１１、ＰＴ２２のペア、ポートＰＴ１４、ＰＴ２１のペアが接続ガイドの対象のときの例を説明する。例えば、ユーザは、ボタンＢＴを押下することにより、ポートＰＴ１０、ＰＴ２０のペア、ポートＰＴ１１、ＰＴ２２のペア、ポートＰＴ１４、ＰＴ２１のペアの順に接続するようにガイドされる。ガイドの順番は、例えば、予め設定されている。
【００４２】
図２から図４では、発光部ＬＥのオレンジ点滅を濃い網掛けで示し、発光部ＬＥの緑点灯を薄い網掛けで示している。なお、発光部ＬＥのオレンジ点滅（濃い網掛けで示した発光部ＬＥ）は、例えば、接続対象のポートＰＴをユーザに知らせる発光である。また、例えば、発光部ＬＥの緑点灯（薄い網掛けで示した発光部ＬＥ）は、ポートＰＴ間が正しく接続されていることをユーザに知らせる発光である。
【００４３】
図２は、ポートＰＴ間の接続作業の開始から、１番目に選択したポートＰＴ１０、ＰＴ２０間が接続されるまでの光伝送装置ＯＳＹＳの状態の一例を示している。ポートＰＴ間の接続作業の開始前では、例えば、全てのポートＰＴは未接続状態であり、シャッタ部ＳＨ１０−ＳＨ１４は閉状態である。また、ポートＰＴ間の接続作業の開始前では、発光部ＬＥ１０−ＬＥ１４、ＬＥ２０−ＬＥ２２は、消灯している。先ず、ユーザは、ボタンＢＴを押下する。これにより、制御部ＣＬＴ１は、出力ポートＰＴおよび入力ポートＰＴを光ケーブルＣＢＬで接続する作業の開始を検出する。
【００４４】
例えば、制御部ＣＬＴ１は、ポートＰＴ間の接続作業の開始を検出したことにより、１番目の接続対象のポートＰＴ１０、ＰＴ２０のペアを選択する。そして、制御部ＣＬＴ１は、ポートＰＴ１０に光信号を伝送するシャッタ部ＳＨ１０の状態を開状態に設定する（図２の光ケーブルＣＢＬ１接続前）。これにより、ポートＰＴ１０は、増幅部ＡＭＰからシャッタ部ＳＨ１０を介して受けた光信号を出力する。ポートＰＴ１０以外のポートＰＴ１１、ＰＴ１２、ＰＴ１４は、シャッタ部ＳＨ１１、ＳＨ１２、ＳＨ１４が閉状態（図の×印）であるため、光信号を受けない。
【００４５】
また、制御部ＣＬＴ１は、接続対象として選択したポートＰＴ１０、ＰＴ２０にそれぞれ対応する発光部ＬＥ１０、ＬＥ２０をオレンジ点滅させる（図２の光ケーブルＣＢＬ１接続前）。これにより、ユーザは、オレンジ点滅している発光部ＬＥ１０に隣接するポートＰＴ１０とオレンジ点滅している発光部ＬＥ２０に隣接するポートＰＴ２０とを光ケーブルＣＢＬ１で接続すればよいことを、視覚的に判断できる。したがって、例えば、ユーザは、オレンジ点滅している発光部ＬＥ１０に隣接するポートＰＴ１０とオレンジ点滅している発光部ＬＥ２０に隣接するポートＰＴ２０とを光ケーブルＣＢＬ１で接続する。
【００４６】
これにより、ポートＰＴ１０からポートＰＴ２０に光ケーブルＣＢＬ１を介して光信号が伝送される（図２の光ケーブルＣＢＬ１接続後の破線の矢印）。そして、ユニットＵＷＳＳは、光信号をポートＰＴ２０で受けたとき、光信号をポートＰＴ２０で受けたことを、制御部ＣＬＴ１に通知する。なお、ユニットＵＡＭＰ、ＵＭＬＤＸ、ＵＷＳＳ等は、例えば、光信号が入力されているか否かを検出できるため、接続対象の入力ポートＰＴで光信号を受けたか否かを検出できる。
【００４７】
制御部ＣＬＴ１は、例えば、接続対象として選択した入力ポートＰＴ２０で光信号を受けたことが通知されたとき、ポートＰＴ１０、ＰＴ２０にそれぞれ対応する発光部ＬＥ１０、ＬＥ２０を緑点灯させる（図２の光ケーブルＣＢＬ１接続後）。すなわち、制御部ＣＬＴ１は、入力ポートＰＴ２０で光信号を受けたとき、発光部ＬＥ１０、ＬＥ２０の発光を、オレンジ点滅（接続対象であることを示す発光）から緑点灯（ポートＰＴ間が正しく接続されていることを示す発光）に変更する。これにより、ユーザは、接続対象の２つのポートＰＴ（ＰＴ１０、ＰＴ２０）間が正しく接続されたことを、視覚的に判断できる。
【００４８】
なお、制御部ＣＬＴ１は、接続対象の入力ポートＰＴ１０で光信号を受けたことを検出する機能を有してもよい。例えば、光伝送装置ＯＳＹＳは、ユニットＵＷＳＳ等の各ユニット内に、制御部ＣＬＴ１の一部の機能として、接続対象の入力ポートＰＴで光信号を受けたか否かを検出する機能を設けてもよい。
【００４９】
また、制御部ＣＬＴ１は、例えば、１番目の接続対象として選択した２つのポートＰＴ１０、ＰＴ２０間が正しく接続された後、次の接続対象のポートＰＴ１１、ＰＴ２２のペアを選択する（例えば、図３の光ケーブルＣＢＬ１接続前）。
【００５０】
図３は、１番目に選択したポートＰＴ１０、ＰＴ２０間が接続されてから、２番目に選択したポートＰＴ１１、ＰＴ２２間が接続されるまでの光伝送装置ＯＳＹＳの状態の一例を示している。
【００５１】
例えば、制御部ＣＬＴ１は、図２で説明したように、１番目に選択した入力ポートＰＴ２０で光信号を受けたことが通知されたとき、１番目に選択したポートＰＴ１０、ＰＴ２０にそれぞれ対応する発光部ＬＥ１０、ＬＥ２０を緑点灯させる。そして、制御部ＣＬＴ１は、２番目の接続対象のポートＰＴ１１、ＰＴ２２のペアを選択する。また、制御部ＣＬＴ１は、ポートＰＴ１１に光信号を伝送するシャッタ部ＳＨ１１の状態を開状態に設定する（図３の光ケーブルＣＢＬ２接続前）。これにより、ポートＰＴ１１は、増幅部ＡＭＰからシャッタ部ＳＨ１１を介して受けた光信号を出力する。
【００５２】
また、制御部ＣＬＴ１は、接続対象として選択したポートＰＴ１１、ＰＴ２２にそれぞれ対応する発光部ＬＥ１１、ＬＥ２２をオレンジ点滅させる（図３の光ケーブルＣＢＬ２接続前）。これにより、ユーザは、オレンジ点滅している発光部ＬＥ１１に隣接するポートＰＴ１１とオレンジ点滅している発光部ＬＥ２２に隣接するポートＰＴ２２とを光ケーブルＣＢＬ２で接続すればよいことを、視覚的に判断できる。したがって、例えば、ユーザは、オレンジ点滅している発光部ＬＥ１１に隣接するポートＰＴ１１とオレンジ点滅している発光部ＬＥ２２に隣接するポートＰＴ２２とを光ケーブルＣＢＬ２で接続する。
【００５３】
これにより、ポートＰＴ１１からポートＰＴ２２に光ケーブルＣＢＬ２を介して光信号が伝送される（図３の光ケーブルＣＢＬ２接続後の破線の矢印）。そして、ユニットＵＭＬＤＸは、光信号をポートＰＴ２２で受けたとき、光信号をポートＰＴ２２で受けたことを、制御部ＣＬＴ１に通知する。
【００５４】
制御部ＣＬＴ１は、例えば、接続対象として選択した入力ポートＰＴ２２で光信号を受けたことが通知されたとき、ポートＰＴ１１、ＰＴ２２にそれぞれ対応する発光部ＬＥ１１、ＬＥ２２を緑点灯させる（図３の光ケーブルＣＢＬ２接続後）。すなわち、制御部ＣＬＴ１は、入力ポートＰＴ２２で光信号を受けたとき、発光部ＬＥ１１、ＬＥ２２の発光を、オレンジ点滅から緑点灯に変更する。これにより、ユーザは、接続対象の２つのポートＰＴ（ＰＴ１１、ＰＴ２２）間が正しく接続されたことを、視覚的に判断できる。
【００５５】
また、制御部ＣＬＴ１は、例えば、２番目の接続対象として選択した２つのポートＰＴ１１、ＰＴ２２間が正しく接続された後、次の接続対象のポートＰＴ１４、ＰＴ２１を選択する（例えば、図４の光ケーブルＣＢＬ３接続前）。
【００５６】
図４は、２番目に選択したポートＰＴ１１、ＰＴ２２間が接続されてから、３番目に選択したポートＰＴ１４、ＰＴ２１間が接続されるまでの光伝送装置ＯＳＹＳの状態の一例を示している。
【００５７】
例えば、制御部ＣＬＴ１は、図３で説明したように、２番目に選択した入力ポートＰＴ２２で光信号を受けたことが通知されたとき、２番目に選択したポートＰＴ１１、ＰＴ２２にそれぞれ対応する発光部ＬＥ１１、ＬＥ２２を緑点灯させる。そして、制御部ＣＬＴ１は、３番目の接続対象のポートＰＴ１４、ＰＴ２１のペアを選択する。また、制御部ＣＬＴ１は、ポートＰＴ１４に光信号を伝送するシャッタ部ＳＨ１４の状態を開状態に設定する（図４の光ケーブルＣＢＬ３接続前）。これにより、ポートＰＴ１４は、合波器ＭＵＸからシャッタ部ＳＨ１４を介して受けた光信号を出力する。
【００５８】
また、制御部ＣＬＴ１は、接続対象として選択したポートＰＴ１４、ＰＴ２１にそれぞれ対応する発光部ＬＥ１４、ＬＥ２１をオレンジ点滅させる（図４の光ケーブルＣＢＬ３接続前）。これにより、ユーザは、オレンジ点滅している発光部ＬＥ１４に隣接するポートＰＴ１４とオレンジ点滅している発光部ＬＥ２１に隣接するポートＰＴ２１とを光ケーブルＣＢＬ３で接続すればよいことを、視覚的に判断できる。したがって、例えば、ユーザは、オレンジ点滅している発光部ＬＥ１４に隣接するポートＰＴ１４とオレンジ点滅している発光部ＬＥ２１に隣接するポートＰＴ２１とを光ケーブルＣＢＬ３で接続する。
【００５９】
これにより、ポートＰＴ１４からポートＰＴ２１に光ケーブルＣＢＬ３を介して光信号が伝送される（図４の光ケーブルＣＢＬ３接続後の破線の矢印）。そして、ユニットＵＷＳＳは、光信号をポートＰＴ２１で受けたとき、光信号をポートＰＴ２１で受けたことを、制御部ＣＬＴ１に通知する。
【００６０】
制御部ＣＬＴ１は、例えば、接続対象として選択した入力ポートＰＴ２１で光信号を受けたことが通知されたとき、ポートＰＴ１４、ＰＴ２１にそれぞれ対応する発光部ＬＥ１４、ＬＥ２１を緑点灯させる（図４の光ケーブルＣＢＬ３接続後）。すなわち、制御部ＣＬＴ１は、入力ポートＰＴ２１で光信号を受けたとき、発光部ＬＥ１２、ＬＥ２１の発光を、オレンジ点滅から緑点灯に変更する。これにより、ユーザは、接続対象の２つのポートＰＴ（ＰＴ１４、ＰＴ２１）間が正しく接続されたことを、視覚的に判断できる。
【００６１】
また、制御部ＣＬＴ１は、例えば、ガイド対象の全てのポートＰＴが正しく接続されたため、接続ガイドの処理を終了する。この際、制御部ＣＬＴ１は、例えば、ガイド対象のポートＰＴに対応する全ての発光部ＬＥの発光を、接続ガイドの処理が終了したことを示す状態（例えば、青点灯、消灯等）に変更してもよい。また、制御部ＣＬＴ１は、例えば、接続ガイドの処理を終了した後に、誤接続や未接続を検出した場合、誤接続や未接続のポートＰＴに対応する発光部ＬＥを、異常を知らせる発光状態（例えば、赤点滅）に設定してもよい。
【００６２】
なお、例えば、ポートＰＴ１０、ＰＴ２０間が正しく接続された状態で、ボタンＢＴが押下された場合、制御部ＣＬＴ１は、ポートＰＴ１０、ＰＴ２０のペア、ポートＰＴ１１、ＰＴ２２のペア、ポートＰＴ１４、ＰＴ２１のペアの順にガイドする。例えば、制御部ＣＬＴ１は、先ず、ポートＰＴ１０、ＰＴ２０のペアを選択し、シャッタ部ＳＨ１０を開状態に設定する。
【００６３】
ポートＰＴ１０、ＰＴ２０間が既に正しく接続されているため、ポートＰＴ１０からポートＰＴ２０に光ケーブルＣＢＬ１を介して光信号が伝送され、入力ポートＰＴ２０で光信号を受けたことが制御部ＣＬＴ１に通知される。このため、制御部ＣＬＴ１は、発光部ＬＥ１０、ＬＥ２０を緑点灯させ、２番目の接続対象のポートＰＴ１１、ＰＴ２２のペアを選択する。このように、正しく接続されたポートＰＴが混在している状態でも、制御部ＣＬＴ１は、視覚的に判断し易い接続ガイド（ポートＰＴ間の接続作業のガイド）を実行できる。
【００６４】
図５は、図１に示した光伝送装置ＯＳＹＳにおける接続ガイドの動作の一例を示している。図５の動作は、ハードウエアのみで実現されてもよく、ハードウエアをソフトウエアにより制御することにより実現されてもよい。例えば、接続ガイドプログラム等のソフトウエアは、図５の動作をコンピュータに実行させてもよい。すなわち、コンピュータは、接続ガイドプログラムを記録した記憶媒体を読み取り、図５の動作を実行してもよい。
【００６５】
ステップＳ１００では、制御部ＣＬＴ１は、ボタンＢＴが押下されたか否かを判定する。ボタンＢＴが押下されたとき（ステップＳ１００のＹｅｓ）、制御部ＣＬＴ１の動作は、ステップＳ１１０に移る。一方、ボタンＢＴが押下されていないとき（ステップＳ１００のＮｏ）、制御部ＣＬＴ１の動作は、ステップＳ１００に戻る。すなわち、制御部ＣＬＴ１は、ボタンＢＴが押下されるまで、ステップＳ１１０以降の処理を実行せずに待機する。
【００６６】
ステップＳ１１０では、制御部ＣＬＴ１は、例えば、全てのシャッタ部ＳＨの状態を閉状態にする。
【００６７】
ステップＳ１２０では、制御部ＣＬＴ１は、接続対象の２つのポートＰＴを選択する。すなわち、制御部ＣＬＴ１は、出力ポートＰＴおよび入力ポートＰＴを光ケーブルで接続する作業の開始を検出したとき、接続対象の出力ポートＰＴおよび入力ポートＰＴを選択する。
【００６８】
ステップＳ１３０では、制御部ＣＬＴ１は、ステップＳ１２０で選択した接続対象の出力ポートＰＴのシャッタ部ＳＨの状態を開状態に設定する。これにより、ステップＳ１２０で選択した出力ポートＰＴに光信号が伝送される。すなわち、光伝送装置ＯＳＹＳは、ステップＳ１２０で選択した出力ポートＰＴに光信号を伝送する。
【００６９】
ステップＳ１４０では、制御部ＣＬＴ１は、ステップＳ１２０で選択した接続対象の２つのポートＰＴにそれぞれ対応する発光部ＬＥを、オレンジ点滅させる。図５の動作では、オレンジ点滅は、接続対象であることを示す発光状態に対応している。すなわち、制御部ＣＬＴ１は、ステップＳ１２０で選択した出力ポートＰＴおよび入力ポートＰＴにそれぞれ対応する発光部ＬＥを、接続対象であることを示す発光状態に設定する。これにより、ユーザは、接続対象の２つのポートＰＴを、容易に見つけることができる。
【００７０】
ステップＳ１５０では、制御部ＣＬＴ１は、ステップＳ１２０で選択した接続対象の入力ポートＰＴで光信号を受けたか否かを判定する。例えば、制御部ＣＬＴ１は、ステップＳ１２０で選択した入力ポートＰＴで光信号を受けたことを示す情報を、選択した入力ポートＰＴを含むユニットから受けたとき、接続対象の入力ポートＰＴで光信号を受けたと判定する。
【００７１】
接続対象の入力ポートＰＴで光信号を受けたとき（ステップＳ１５０のＹｅｓ）、制御部ＣＬＴ１の動作は、ステップＳ１６０に移る。一方、接続対象の入力ポートＰＴで光信号を受けたていないとき（ステップＳ１５０のＮｏ）、制御部ＣＬＴ１の動作は、ステップＳ１５０に戻る。すなわち、制御部ＣＬＴ１は、接続対象の入力ポートＰＴで光信号を受けるまで、ステップＳ１６０以降の処理を実行せずに待機する。
【００７２】
ステップＳ１６０では、制御部ＣＬＴ１は、ステップＳ１４０でオレンジ点滅させた発光部ＬＥの発光を、オレンジ点滅から緑点灯に変更する。図５の動作では、緑点灯は、接続対象であることを示す発光状態（図５の例では、オレンジ点滅）と異なる状態に対応している。すなわち、制御部ＣＬＴ１は、ステップＳ１２０で選択した入力ポートＰＴで光信号を受けたとき、ステップＳ１２０で選択した出力ポートＰＴおよび入力ポートＰＴにそれぞれ対応する発光部ＬＥを、接続対象であることを示す発光状態と異なる状態に設定する。これにより、ユーザは、接続対象の２つのポートＰＴ間が正しく接続されたことを、視覚的に判断できる。
【００７３】
ステップＳ１７０では、制御部ＣＬＴ１は、ガイド対象の全てのポートＰＴの接続が完了したか否かを判定する。ガイド対象の全てのポートＰＴの接続が完了していないとき（ステップＳ１７０のＮｏ）、制御部ＣＬＴ１の動作は、ステップＳ１２０に戻る。例えば、ステップＳ１２０において、制御部ＣＬＴ１は、ガイド対象のポートＰＴのうちの未接続のポートＰＴ（接続が完了していないポートＰＴ）から接続対象の２つのポートＰＴを選択する。
【００７４】
一方、ガイド対象の全てのポートＰＴの接続が完了しているとき（ステップＳ１７０のＹｅｓ）、制御部ＣＬＴ１の接続ガイドに関する動作は、終了する。このように、図５の動作では、制御部ＣＬＴ１は、接続対象の２つのポートＰＴにそれぞれ隣接する発光部ＬＥをオレンジ点滅させることにより、接続対象の２つのポートＰＴをユーザに知らせる。これにより、ユーザは、接続対象の２つのポートＰＴを視覚的に判断できる。また、制御部ＣＬＴ１は、接続対象の２つのポートＰＴが正しく接続されたとき、オレンジ点滅（接続対象であることを示す発光）を緑点灯（ポートＰＴ間が正しく接続されていることを示す発光）に変更する。これにより、ユーザは、接続対象の２つのポートＰＴ間が正しく接続されたことを、視覚的に判断できる。
【００７５】
なお、光伝送装置ＯＳＹＳの接続ガイドの動作は、この例に限定されない。例えば、ステップＳ１３０とステップＳ１４０の実行順は逆でもよい。また、例えば、ステップＳ１１０は、省かれてもよい。この場合、例えば、全てのシャッタ部ＳＨの状態が閉状態のときに、ポートＰＴ間の接続作業を開始するためのボタンＢＴが押下される。
【００７６】
以上、図１から図５に示した実施形態では、接続対象の２つのポートＰＴを予め設定された順番で選択し、選択した２つのポートＰＴにそれぞれ隣接する発光部ＬＥを接続対象であることを示す発光状態（例えば、オレンジ点滅）にする。これにより、ユーザは、接続対象の２つのポートＰＴを視覚的に判断できる。さらに、この実施形態では、接続対象の２つのポートＰＴが正しく接続されたとき、接続対象の２つのポートＰＴにそれぞれ隣接する発光部ＬＥを、接続対象であることを示す発光状態と異なる状態（例えば、緑点灯）に変更する。これにより、ユーザは、接続対象の２つのポートＰＴ間が正しく接続されたことを、視覚的に判断できる。これにより、接続ミスが防止される。
【００７７】
また、この実施形態では、ユニット間の接続を切り替える光スイッチ等を使用せずに、シャッタ部ＳＨや発光部ＬＥを用いて接続ガイドを実行するため、製造コストの増加を抑制できる。すなわち、この実施形態では、製造コストの増加を抑制しつつ、接続ミスを防止できる。
【００７８】
図６は、光伝送装置および光伝送装置内の接続ガイド方法の別の実施形態を示している。この実施形態の光伝送装置ＯＳＹＳ２は、例えば、ＷＤＭ装置である。光伝送装置ＯＳＹＳ２は、図１に示した制御部ＣＬＴ１の代わりに制御部ＣＬＴ２（ＣＬＴ２ａ、ＣＬＴ２ｂ、ＣＬＴ２ｃ）を有している。また、光伝送装置ＯＳＹＳ２では、図１に示した光伝送装置ＯＳＹＳからボタンＢＴおよびシャッタ部ＳＨが省かれている。そして、信号発生器ＳＧ（ＳＧ１０−ＳＧ１４）、結合部ＣＰ（ＣＰ１０−ＣＰ１４）、分離部ＤＶ（ＤＶ１０−ＤＶ１２）およびフィルタＦＬＴ（ＦＬＴ１０ａ等）が図１に示した光伝送装置ＯＳＹＳに追加されている。
【００７９】
例えば、光伝送装置ＯＳＹＳ２では、信号発生器ＳＧ（ＳＧ１０−ＳＧ１４）と結合部ＣＰ（ＣＰ１０−ＣＰ１４）とのセットが、図１に示したシャッタ部ＳＨの代わりに設けられている。光伝送装置ＯＳＹＳ２のその他の構成は、図１に示した光伝送装置ＯＳＹＳと同様である。図１から図５で説明した要素と同様の要素については、同様の符号を付し、これ等については、詳細な説明を省略する。
【００８０】
光伝送装置ＯＳＹＳ２は、アンプユニットＵＡＭＰ２、多重分離ユニットＵＭＬＤＸ２、波長選択スイッチユニットＵＷＳＳ２等の複数のユニットと、制御部ＣＬＴ２（ＣＬＴ２ａ、ＣＬＴ２ｂ、ＣＬＴ２ｃ）とを有している。なお、図６では、図を見やすくするために、アンプユニットＵＡＭＰ２、多重分離ユニットＵＭＬＤＸ２および波長選択スイッチユニットＵＷＳＳ２以外のユニットの記載を省略している。以下、アンプユニットＵＡＭＰ２、多重分離ユニットＵＭＬＤＸ２、波長選択スイッチユニットＵＷＳＳ２を、ユニットＵＡＭＰ２、ＵＭＬＤＸ２、ＵＷＳＳ２ともそれぞれ称する。
【００８１】
ユニットＵＡＭＰ２、ＵＭＬＤＸ２、ＵＷＳＳ２は、図１に示したユニットＵＡＭＰ、ＵＭＬＤＸ、ＵＷＳＳにそれぞれ対応している。例えば、各ユニットＵＡＭＰ２、ＵＭＬＤＸ２、ＵＷＳＳ２は、光ファイバ等を含む光ケーブルＣＢＬ（ＣＢＬ１、ＣＢＬ２、ＣＢＬ３）で接続されている。
【００８２】
アンプユニットＵＡＭＰ２は、例えば、受信用のアンプユニットである。例えば、アンプユニットＵＡＭＰ２は、ポートＰＴ（ＰＴ１０、ＰＴ１１、ＰＴ１２、ＰＴ２００）、増幅部ＡＭＰ、信号発生器ＳＧ（ＳＧ１０、ＳＧ１１、ＳＧ１２）、結合部ＣＰ（ＣＰ１０、ＣＰ１１、ＣＰ１２）、発光部ＬＥ（ＬＥ１０、ＬＥ１１、ＬＥ１２）を有している。信号発生器ＳＧおよび結合部ＣＰを含むセットは、例えば、出力ポートＰＴに対応して設けられる。
【００８３】
信号発生器ＳＧは、出力ポートＰＴを識別するための識別信号を光信号の主信号と異なる波長で生成する生成部の一例である。例えば、信号発生器ＳＧ１０は、出力ポートＰＴ１０を特定するための識別コードを識別信号として生成し、識別信号を光信号の主信号と異なる波長で結合部ＣＰ１０に出力する。光信号の主信号と異なる波長は、例えば、光監視チャネル（OSC:Optical Supervisory Channel）で使用される波長である。信号発生器ＳＧ１１、ＳＧ１２も、信号発生器ＳＧ１０と同様に、出力ポートＰＴ１１、ＰＴ１２の識別信号を光信号の主信号と異なる波長で結合部ＣＰ１１、ＣＰ１２にそれぞれ出力する。
【００８４】
結合部ＣＰは、識別信号と主信号とを波長多重して光信号を生成し、光信号を出力ポートに伝送する結合部の一例である。例えば、結合部ＣＰは、２つの信号を波長多重する光カプラである。図６の例では、結合部ＣＰ１０、ＣＰ１１、ＣＰ１２は、出力ポートＰＴ１０、ＰＴ１１、ＰＴ１２の識別信号を信号発生器ＳＧ１０、ＳＧ１１、ＳＧ１２からそれぞれ受け、主信号を増幅部ＡＭＰから受ける。そして、結合部ＣＰ１０、ＣＰ１１、ＣＰ１２は、信号発生器ＳＧから受けた識別信号（対応する出力ポートＰＴの識別信号）と増幅部ＡＭＰから受けた主信号とを波長多重して光信号をそれぞれ生成する。
【００８５】
また、結合部ＣＰ１０、ＣＰ１１、ＣＰ１２は、生成した光信号を対応する出力ポートＰＴ１０、ＰＴ１１、ＰＴ１２にそれぞれ出力する。これにより、出力ポートＰＴ１０、ＰＴ１１、ＰＴ１２には、出力ポートＰＴ１０、ＰＴ１１、ＰＴ１２の識別信号をそれぞれ含む光信号が伝送される。例えば、ポートＰＴ１０は、主信号とポートＰＴ１０の識別信号とが波長多重された光信号を、光ケーブルＣＢＬ１を介してポートＰＴ２０に出力する。また、ポートＰＴ１１は、主信号とポートＰＴ１１の識別信号とが波長多重された光信号を、光ケーブルＣＢＬ２を介してポートＰＴ２２に出力する。
【００８６】
波長選択スイッチユニットＵＷＳＳ２は、例えば、ポートＰＴ（ＰＴ１３、ＰＴ２０、ＰＴ２１）、波長選択スイッチＷＳＳ、信号発生器ＳＧ１３、結合部ＣＰ１３、発光部ＬＥ（ＬＥ１３、ＬＥ２０、ＬＥ２１）、分離部ＤＶ（ＤＶ１０、ＤＶ１１）、フィルタＦＬ（ＦＬ１０ａ、ＦＬ１０ｂ、ＦＬ１１ａ、ＦＬ１１ｂ）、判定部ＪＧ１０、制御部ＣＬＴ２ｂを有している。分離部ＤＶおよび２つのフィルタＦＬを含むセットは、例えば、入力ポートＰＴに対応して設けられる。
【００８７】
信号発生器ＳＧ１３および結合部ＣＰ１３は、アンプユニットＵＡＭＰ２の信号発生器ＳＧ１０および結合部ＣＰ１０と同様である。例えば、結合部ＣＰ１３は、信号発生器ＳＧ１３から受けた識別信号（出力ポートＰＴ１３の識別信号）と波長選択スイッチＷＳＳから受けた主信号とを波長多重して光信号を生成し、生成した光信号を出力ポートＰＴ１３に出力する。
【００８８】
分離部ＤＶは、入力ポートＰＴで受けた光信号を２つの経路に分ける分離部の一例である。例えば、分離部ＤＶは、光信号を複数の経路に伝送する光スプリッタである。図６の例では、分離部ＤＶ１０、ＤＶ１１は、入力ポートＰＴ２０、ＰＴ２１から光信号をそれぞれ受ける。そして、例えば、分離部ＤＶ１０は、入力ポートＰＴ２０から受けた光信号を、フィルタＦＬ１０ａ、ＦＬ１０ｂにそれぞれ出力する。また、例えば、分離部ＤＶ１１は、入力ポートＰＴ２１から受けた光信号を、フィルタＦＬ１１ａ、ＦＬ１１ｂにそれぞれ出力する。
【００８９】
すなわち、入力ポートＰＴで受けた光信号は、分離部ＤＶにより、主信号を処理するブロック（例えば、波長選択スイッチＷＳＳ）に向かう経路と、識別信号を処理するブロック（例えば、判定部ＪＧ１０）に向かう経路とに伝送される。
【００９０】
フィルタＦＬは、例えば、光信号のうち、所定の波長の信号のみを通過させる。例えば、フィルタＦＬ１０ａ、ＦＬ１１ａは、分離部ＤＶから受けた光信号のうち、主信号に割り当てられた波長の信号を通過させる。すなわち、フィルタＦＬ１０ａ、ＦＬ１１ａは、分離部ＤＶから受けた光信号のうち、識別信号を削除し、主信号を波長選択スイッチＷＳＳに出力する。
【００９１】
また、例えば、フィルタＦＬ１０ｂ、ＦＬ１１ｂは、分離部ＤＶから受けた光信号のうち、識別信号に割り当てられた波長（例えば、ＯＳＣに使用される波長）の信号を通過させる。すなわち、フィルタＦＬ１０ｂ、ＦＬ１１ｂは、分離部ＤＶから受けた光信号のうち、主信号を削除し、識別信号を判定部ＪＧ１０に出力する。
【００９２】
判定部ＪＧは、２つ経路の一方を介して受ける光信号に含まれる識別信号に基づいて、出力ポートＰＴと入力ポートＰＴとが正しく接続されているか否かを判定する判定部の一例である。例えば、判定部ＪＧ１０は、フィルタＦＬ１０ｂから受けた識別信号を解析し、入力ポートＰＴ２０向けの光信号（入力ポートＰＴ２０の正しい接続先である出力ポートＰＴ１０から出力された光信号）か否かを判定する。
【００９３】
また、例えば、判定部ＪＧ１０は、フィルタＦＬ１１ｂから受けた識別信号を解析し、入力ポートＰＴ２１向けの光信号（入力ポートＰＴ２１の正しい接続先である出力ポートＰＴ１４から出力された光信号）か否かを判定する。そして、判定部ＪＧ１０は、例えば、出力ポートＰＴと入力ポートＰＴとが正しく接続されているか否かの判定結果を、制御部ＣＬＴ２ｂに出力する。
【００９４】
なお、判定部ＪＧ１０には、例えば、入力ポートＰＴの正しい接続先の出力ポートＰＴを特定するための識別コードが、入力ポートＰＴの期待値として制御部ＣＬＴ２ａから制御部ＣＬＴ２ｂを介して予め通知されている。例えば、判定部ＪＧ１０は、入力ポートＰＴ２０、ＰＴ２１で受けた光信号の識別信号（出力ポートＰＴを特定する識別コード）と入力ポートＰＴ２０、ＰＴ２１の期待値とをそれぞれ比較する。そして、判定部ＪＧ１０は、比較結果に基づいて、出力ポートＰＴと入力ポートＰＴとが正しく接続されているか否かを判定する。
【００９５】
例えば、判定部ＪＧ１０は、入力ポートＰＴ２０から分離部ＤＶ１０、フィルタＦＬ１０ｂを介して受けた識別信号と入力ポートＰＴ２０の期待値（出力ポートＰＴ１０を特定する識別コード）とを比較する。そして、判定部ＪＧ１０は、入力ポートＰＴ２０で受けた光信号の識別信号が示す識別コードと入力ポートＰＴ２０の期待値とが一致したとき、出力ポートＰＴ１０と入力ポートＰＴ２０とが正しく接続されていると判定する。すなわち、判定部ＪＧ１０は、入力ポートＰＴ２０で受けた光信号の識別信号が示す識別コードと入力ポートＰＴ２０の期待値とが不一致のときには、出力ポートＰＴ１０と入力ポートＰＴ２０とが正しく接続されていないと判定する。
【００９６】
また、例えば、判定部ＪＧ１０は、入力ポートＰＴ２１から分離部ＤＶ１１、フィルタＦＬ１１ｂを介して受けた識別信号と入力ポートＰＴ２１の期待値（出力ポートＰＴ１４を特定する識別コード）とを比較する。そして、判定部ＪＧ１０は、入力ポートＰＴ２１で受けた光信号の識別信号が示す識別コードと入力ポートＰＴ２１の期待値とが一致したとき、出力ポートＰＴ１４と入力ポートＰＴ２１とが正しく接続されていると判定する。すなわち、判定部ＪＧ１０は、入力ポートＰＴ２１で受けた光信号の識別信号が示す識別コードと入力ポートＰＴ２１の期待値とが不一致のときには、出力ポートＰＴ１４と入力ポートＰＴ２１とが正しく接続されていないと判定する。
【００９７】
なお、判定部ＪＧは、例えば、識別信号を判定部ＪＧに伝送した入力ポートＰＴを特定可能に設計されている。また、判定部ＪＧは、例えば、各入力ポートＰＴに対応して設けられてもよい。
【００９８】
制御部ＣＬＴ２ｂは、発光部ＬＥ１３、ＬＥ２０、ＬＥ２１の発光等を制御する制御部の一例である。制御部ＣＬＴ２ｂは、例えば、ＣＰＵ（Central Processing Unit）を有している。例えば、制御部ＣＬＴ２ｂは、制御部ＣＬＴ２ａの指示に基づいて、発光部ＬＥ１３、ＬＥ２０、ＬＥ２１の発光を制御する。また、制御部ＣＬＴ２ｂは、例えば、判定部ＪＧ１０から受けた判定結果に基づいて、発光部ＬＥ２０、ＬＥ２１の発光を制御する。
【００９９】
例えば、制御部ＣＬＴ２ｂは、ポートＰＴ間が正しく接続されていることを示す発光が緑点灯の場合、出力ポートＰＴ１０と入力ポートＰＴ２０とが正しく接続されていることを示す判定結果を受けたとき、発光部ＬＥ２０を緑点灯させる。また、例えば、制御部ＣＬＴ２ｂは、ポートＰＴ間が正しく接続されていないことを示す発光が赤点滅の場合、出力ポートＰＴ１０と入力ポートＰＴ２０とが正しく接続されていないことを示す判定結果を受けたとき、発光部ＬＥ２０を赤点滅させる。
【０１００】
なお、例えば、制御部ＣＬＴ２ｂは、接続対象のポートＰＴを示す発光がオレンジ点滅の場合、制御部ＣＬＴ２ａの指示に基づいて、接続対象のポートＰＴに対応する発光部ＬＥをオレンジ点滅させる。
【０１０１】
多重分離ユニットＵＭＬＤＸ２は、例えば、ポートＰＴ（ＰＴ１４、ＰＴ２２、ＰＴ１００、ＰＴ２０１）、合波器ＭＵＸ、分波器ＤＭＵＸ、信号発生器ＳＧ１４、結合部ＣＰ１４、発光部ＬＥ（ＬＥ１４、ＬＥ２２）、分離部ＤＶ１２、フィルタＦＬ（ＦＬ１２ａ、ＦＬ１２ｂ）、判定部ＪＧ１１、制御部ＣＬＴ２ｃを有している。
【０１０２】
信号発生器ＳＧ１４および結合部ＣＰ１４は、アンプユニットＵＡＭＰ２の信号発生器ＳＧ１０および結合部ＣＰ１０と同様である。例えば、結合部ＣＰ１４は、信号発生器ＳＧ１４から受けた識別信号（出力ポートＰＴ１４の識別信号）と合波器ＭＵＸから受けた主信号とを波長多重して光信号を生成し、生成した光信号を出力ポートＰＴ１４に出力する。
【０１０３】
分離部ＤＶ１２は、波長選択スイッチユニットＵＷＳＳ２の分離部ＤＶ１０と同様である。例えば、分離部ＤＶ１２は、入力ポートＰＴ２２から受けた光信号を、フィルタＦＬ１２ａ、ＦＬ１２ｂにそれぞれ出力する。
【０１０４】
フィルタＦＬ１２ａ、ＦＬ１２ｂは、波長選択スイッチユニットＵＷＳＳ２のフィルタＦＬ１０ａ、ＦＬ１０ｂと同様である。例えば、フィルタＦＬ１２ａは、分離部ＤＶ１２から受けた光信号のうち、識別信号を削除し、主信号を分波器ＤＭＵＸに出力する。また、例えば、フィルタＦＬ１２ｂは、分離部ＤＶ１２から受けた光信号のうち、主信号を削除し、識別信号を判定部ＪＧ１１に出力する。
【０１０５】
判定部ＪＧ１１は、波長選択スイッチユニットＵＷＳＳ２の判定部ＪＧ１０と同様である。例えば、判定部ＪＧ１１は、入力ポートＰＴ２２から分離部ＤＶ１２、フィルタＦＬ１２ｂを介して受けた識別信号と入力ポートＰＴ２２の期待値（出力ポートＰＴ１１を特定する識別コード）とを比較する。そして、判定部ＪＧ１１は、入力ポートＰＴ２２で受けた光信号の識別信号が示す識別コードと入力ポートＰＴ２２の期待値とが一致したとき、出力ポートＰＴ１１と入力ポートＰＴ２２とが正しく接続されていると判定する。
【０１０６】
すなわち、判定部ＪＧ１１は、入力ポートＰＴ２２で受けた光信号の識別信号が示す識別コードと入力ポートＰＴ２２の期待値とが不一致のときには、出力ポートＰＴ１１と入力ポートＰＴ２２とが正しく接続されていないと判定する。なお、例えば、入力ポートＰＴ２２の期待値は、制御部ＣＬＴ２ａから制御部ＣＬＴ２ｃを介して判定部ＪＧ１１に予め通知されている。
【０１０７】
制御部ＣＬＴ２ｃは、波長選択スイッチユニットＵＷＳＳ２の制御部ＣＬＴ２ｂと同様である。例えば、制御部ＣＬＴ２ｃは、ポートＰＴ間が正しく接続されていることを示す発光が緑点灯の場合、出力ポートＰＴ１１と入力ポートＰＴ２２とが正しく接続されていることを示す判定結果を受けたとき、発光部ＬＥ２２を緑点灯させる。また、例えば、制御部ＣＬＴ２ｂは、ポートＰＴ間が正しく接続されていないことを示す発光が赤点滅の場合、出力ポートＰＴ１１と入力ポートＰＴ２２とが正しく接続されていないことを示す判定結果を受けたとき、発光部ＬＥ２２を赤点滅させる。
【０１０８】
なお、例えば、制御部ＣＬＴ２ｃは、接続対象のポートＰＴを示す発光がオレンジ点滅の場合、制御部ＣＬＴ２ａの指示に基づいて、接続対象のポートＰＴに対応する発光部ＬＥをオレンジ点滅させる。また、例えば、制御部ＣＬＴ２ｃは、制御部ＣＬＴ２ａの指示に基づいて、発光部ＬＥ１４の発光状態を、緑点灯、赤点滅、オレンジ点滅等に設定する。
【０１０９】
制御部ＣＬＴ２ａは、発光部ＬＥの発光等を制御する制御部の一例である。制御部ＣＬＴ２ａは、例えば、ＣＰＵ（Central Processing Unit）を有している。例えば、制御部ＣＬＴ２ａは、ユニットＵＡＭＰ２、ＵＷＳＳ２、ＵＭＬＤＸ２等に電気的に接続されている。例えば、制御部ＣＬＴ２ａは、ユニットＵＡＭＰ２、ＵＷＳＳ２、ＵＭＬＤＸ２等のユニットに、シェルフのバックボードの配線を介して接続されている。したがって、制御部ＣＬＴ２ａ、ＣＬＴ２ｂ、ＣＬＴ２ｃは、互いに通信可能に接続されている。
【０１１０】
制御部ＣＬＴ２ａは、発光部ＬＥの発光等を制御する。例えば、制御部ＣＬＴ２ａは、発光部ＬＥ１０、ＬＥ１１、ＬＥ１２の発光等を制御する。また、制御部ＣＬＴ２ａは、例えば、発光部ＬＥ１３、ＬＥ２０、ＬＥ２１の発光等を制御部ＣＬＴ２ｂを介して制御し、発光部ＬＥ１４、ＬＥ２２の発光等を制御部ＣＬＴ２ｃを介して制御する。すなわち、制御部ＣＬＴ２（ＣＬＴ２ａ、ＣＬＴ２ｂ、ＣＬＴ２ｃ）は、発光部ＬＥの発光等を制御する制御部の一例である。
【０１１１】
例えば、制御部ＣＬＴ２は、出力ポートＰＴと入力ポートＰＴとが正しく接続されていないことを検出したとき、正しく接続されていない出力ポートＰＴおよび入力ポートＰＴから接続対象の２つのポートＰＴ（出力ポートＰＴおよび入力ポートＰＴ）を選択する。そして、制御部ＣＬＴ２は、選択した２つのポートＰＴにそれぞれ対応する２つの発光部ＬＥを、接続対象であることを示す発光状態に設定する。
【０１１２】
なお、例えば、出力ポートＰＴと入力ポートＰＴとが正しく接続されてるか否かの情報は、各ユニットの制御部（例えば、制御部ＣＬＴ２ｂ、ＣＬＴ２ｃ）から制御部ＣＬＴ２ａに通知される。例えば、制御部ＣＬＴ２ａは、出力ポートＰＴと入力ポートＰＴとが正しく接続されてるか否かの情報に基づいて、出力ポートＰＴに対応する発光部ＬＥを各ユニットの制御部を介して制御する。
【０１１３】
また、制御部ＣＬＴ２は、接続対象として選択した出力ポートＰＴの識別信号を含む光信号を、選択した入力ポートＰＴで受けたとき、選択した２つのポートＰＴにそれぞれ対応する２つの発光部ＬＥを、接続対象であることを示す発光状態と異なる状態に設定する。ここで、接続対象であることを示す発光状態、接続対象であることを示す発光状態と異なる状態は、図１から図５で説明した実施形態と同様である。例えば、図７等では、接続対象であることを示す発光状態をオレンジ点滅とし、接続対象であることを示す発光状態と異なる状態を緑点灯として説明する。
【０１１４】
このように、光伝送装置ＯＳＹＳ２は、光信号を出力する出力ポートＰＴと光信号を受ける入力ポートＰＴとを光ケーブルＣＢＬで接続することにより、ユニット間（例えば、ユニットＵＡＭＰ２、ＵＷＳＳ２、ＵＭＬＤＸ２）を接続する光伝送装置である。
【０１１５】
なお、光伝送装置ＯＳＹＳ２の構成は、この例に限定されない。例えば、制御部ＣＬＴ２ｂ、ＣＬＴ２ｃは、ユニットＵＷＳＳ２、ＵＭＬＤＸ２の外部に設けられてもよい。また、ユニットＵＡＭＰ２は、発光部ＬＥ１０、ＬＥ１１、ＬＥ１２の発光等を制御する制御部を有してもよい。この場合、制御部ＣＬＴ２ａは、ユニットＵＡＭＰ２内の制御部を介して、発光部ＬＥ１０、ＬＥ１１、ＬＥ１２の発光等を制御する。また、光伝送装置ＯＳＹＳ２内のユニット間の接続関係（ポートＰＴ間の接続関係）は、例えば、ＲＯＡＤＭ（Reconfigurable Optical Add/Drop Multiplexer）、ＩＬＡ（In-Line Amplifier）、ＨＵＢ等の光伝送装置ＯＳＹＳの種類毎に異なる。
【０１１６】
図７および図８は、光伝送装置ＯＳＹＳ２内の接続ガイドの一例を示している。図７および図８では、ポートＰＴ１０、ＰＴ２０のペア、ポートＰＴ１１、ＰＴ２２のペア、ポートＰＴ１４、ＰＴ２１のペアが接続ガイドの対象のときの例を説明する。なお、図７および図８の例では、接続対象のポートＰＴは、予め設定された優先順位に基づいて、順番に選択される。例えば、ポートＰＴ１０、ＰＴ２０のペアの優先順位は、ポートＰＴ１１、ＰＴ２２のペア、ポートＰＴ１４、ＰＴ２１のペアより高く、ポートＰＴ１１、ＰＴ２２のペアの優先順位は、ポートＰＴ１４、ＰＴ２１のペアより高い。
【０１１７】
図７から図８では、発光部ＬＥのオレンジ点滅を濃い網掛けで示し、発光部ＬＥの緑点灯を薄い網掛けで示している。さらに、発光部ＬＥの赤点滅を黒塗りで示している。なお、発光部ＬＥのオレンジ点滅（濃い網掛けで示した発光部ＬＥ）は、例えば、接続対象のポートＰＴをユーザに知らせる発光である。また、例えば、発光部ＬＥの緑点灯（薄い網掛けで示した発光部ＬＥ）は、ポートＰＴ間が正しく接続されていることをユーザに知らせる発光である。また、例えば、発光部ＬＥの赤点滅（黒塗りの発光部ＬＥ）は、ポートＰＴ間が正しく接続されていないことをユーザに知らせる発光である。
【０１１８】
図７は、ガイド対象のポートＰＴに未接続のポートＰＴのペアが１つ存在するときの光伝送装置ＯＳＹＳ２の状態の一例を示している。なお、図７では、誤接続のポートＰＴは、存在していない。例えば、ポートＰＴ１０、ＰＴ２０間は、光ケーブルＣＢＬ１により、正しく接続され、ポートＰＴ１４、ＰＴ２１間は、光ケーブルＣＢＬ３により、正しく接続されている。そして、ポートＰＴ１１、ＰＴ２２間が未接続である。
【０１１９】
このため、ポートＰＴ１０、ＰＴ１４、ＰＴ２０、ＰＴ２１にそれぞれ対応する発光部ＬＥ１０、ＬＥ１４、ＬＥ２０、ＬＥ２１は、緑点灯している。また、ポートＰＴ１１、ＰＴ２２にそれぞれ対応する発光部ＬＥ１１、ＬＥ２２は、オレンジ点滅している。
【０１２０】
例えば、信号発生器ＳＧ１０は、出力ポートＰＴ１０を特定するための識別コードを識別信号ＤＳ１０として生成し、識別信号ＤＳ１０を光信号の主信号ＭＳＩＧと異なる波長で結合部ＣＰ１０に出力する。結合部ＣＰ１０は、信号発生器ＳＧ１０から受けた識別信号ＤＳ１０と増幅部ＡＭＰから受けた主信号ＭＳＩＧとを波長多重した光信号を、出力ポートＰＴ１０に出力する。
【０１２１】
したがって、出力ポートＰＴ１０に接続された入力ポートＰＴ２０は、識別信号ＤＳ１０と主信号ＭＳＩＧとが波長多重された光信号を受ける。そして、分離部ＤＶ１０は、入力ポートＰＴ２０で受けた光信号（識別信号ＤＳ１０と主信号ＭＳＩＧとが波長多重された光信号）をフィルタＦＬ１０ａ、ＦＬ１０ｂにそれぞれ出力する。
【０１２２】
フィルタＦＬ１０ａは、分離部ＤＶ１０から受けた光信号のうち、識別信号ＤＳ１０を削除し、主信号ＭＳＩＧを波長選択スイッチＷＳＳに出力する。一方、フィルタＦＬ１０ｂは、分離部ＤＶ１０から受けた光信号のうち、主信号ＭＳＩＧを削除し、識別信号ＤＳ１０を判定部ＪＧ１０に出力する。このように、判定部ＪＧ１０は、入力ポートＰＴ２０で受けた光信号に含まれる識別信号ＤＳ１０を受ける。また、判定部ＪＧ１０には、出力ポートＰＴ１０を特定するための識別コードが入力ポートＰＴ２０の期待値として予め通知されている。判定部ＪＧ１０は、入力ポートＰＴ２０の期待値（出力ポートＰＴ１０を特定するための識別コード）とフィルタＦＬ１０ｂを介して受けた識別信号ＤＳ１０が示す識別コードとが一致するため、ポートＰＴ１０、ＰＴ２０間が正しく接続されていると判定する。
【０１２３】
このため、制御部ＣＬＴ２は、ポートＰＴ１０、ＰＴ２０にそれぞれ対応する発光部ＬＥ１０、ＬＥ２０を緑点灯させる。同様に、制御部ＣＬＴ２は、ポートＰＴ１４、ＰＴ２１にそれぞれ対応する発光部ＬＥ１４、ＬＥ２１を緑点灯させる。
【０１２４】
なお、判定部ＪＧ１１は、入力ポートＰＴ２２が未接続であるため、識別信号（例えば、識別信号ＤＳ１１）を受けない。このため、判定部ＪＧ１１は、ポートＰＴ１１、ＰＴ２２間が正しく接続されていないと判定する。したがって、制御部ＣＬＴ２ｃは、ポートＰＴ２２に対応する発光部ＬＥ２２を、オレンジ点滅または赤点滅させる。
【０１２５】
図７の例では、ガイド対象のポートＰＴのうち、未接続や誤接続のポートＰＴのペアは、ポートＰＴ１１、ＰＴ２２のペア以外存在しない。このため、制御部ＣＬＴ２ａは、ポートＰＴ１１、ＰＴ２２のペアを接続対象のポートＰＴとして選択する。したがって、制御部ＣＬＴ２ａは、ポートＰＴ１１、ＰＴ２２にそれぞれ対応する発光部ＬＥ１１、ＬＥ２２を、オレンジ点滅させる。例えば、制御部ＣＬＴ２ａは、発光部ＬＥ２２をオレンジ点滅させるように、制御部ＣＬＴ２ｃに指示する。
【０１２６】
これにより、ユーザは、オレンジ点滅している発光部ＬＥ１１に隣接するポートＰＴ１１とオレンジ点滅している発光部ＬＥ２２に隣接するポートＰＴ２２とを光ケーブルＣＢＬで接続すればよいことを、視覚的に判断できる。すなわち、ユーザは、ポートＰＴ１１、ＰＴ２２間が正しく接続されていないことを容易に判断できる。
【０１２７】
図８は、ガイド対象のポートＰＴ２０が誤接続されているときの光伝送装置ＯＳＹＳ２の状態の一例を示している。なお、図８では、正しく接続されていないポートＰＴのペアが２つ存在している。例えば、ポートＰＴ２０は、光ケーブルＣＢＬ１により、ポートＰＴ１２に誤接続されている。また、ポートＰＴ１１、ＰＴ２２間は、未接続である。なお、ポートＰＴ１４、ＰＴ２１間は、光ケーブルＣＢＬ３により、正しく接続されている。
【０１２８】
このため、ポートＰＴ１４、ＰＴ２１にそれぞれ対応する発光部ＬＥ１４、ＬＥ２２は、緑点灯している。また、ポートＰＴ１０、ＰＴ２０のペアがポートＰＴ１１、ＰＴ２２のペアより選択の優先順位が高いため、ポートＰＴ１０、ＰＴ２０にそれぞれ対応する発光部ＬＥ１０、ＬＥ２０は、オレンジ点滅している。そして、ポートＰＴ１１、ＰＴ２２にそれぞれ対応する発光部ＬＥ１１、ＬＥ２２は、赤点滅している。
【０１２９】
例えば、結合部ＣＰ１２は、信号発生器ＳＧ１２から受けた識別信号ＤＳ１２（出力ポートＰＴ１２を特定するための識別コード）と増幅部ＡＭＰから受けた主信号ＭＳＩＧとを波長多重した光信号を、出力ポートＰＴ１２に出力する。
【０１３０】
したがって、出力ポートＰＴ１２に接続された入力ポートＰＴ２０は、識別信号ＤＳ１２と主信号ＭＳＩＧとが波長多重された光信号を受ける。そして、分離部ＤＶ１０は、入力ポートＰＴ２０で受けた光信号（識別信号ＤＳ１２と主信号ＭＳＩＧとが波長多重された光信号）をフィルタＦＬ１０ａ、ＦＬ１０ｂにそれぞれ出力する。
【０１３１】
フィルタＦＬ１０ａは、分離部ＤＶ１０から受けた光信号のうち、識別信号ＤＳ１２を削除し、主信号ＭＳＩＧを波長選択スイッチＷＳＳに出力する。一方、フィルタＦＬ１０ｂは、分離部ＤＶ１０から受けた光信号のうち、主信号ＭＳＩＧを削除し、識別信号ＤＳ１２を判定部ＪＧ１０に出力する。このように、判定部ＪＧ１０は、入力ポートＰＴ２０で受けた光信号に含まれる識別信号ＤＳ１２を受ける。また、判定部ＪＧ１０には、出力ポートＰＴ１０を特定するための識別コードが入力ポートＰＴ２０の期待値として予め通知されている。
【０１３２】
識別信号ＤＳ１２は、出力ポートＰＴ１２を特定するための識別コードである。このため、判定部ＪＧ１０がフィルタＦＬ１０ｂを介して受けた識別信号ＤＳ１２が示す識別コードは、入力ポートＰＴ２０の期待値（出力ポートＰＴ１０を特定するための識別コード）と一致しない。例えば、判定部ＪＧ１０は、入力ポートＰＴ２０の期待値とフィルタＦＬ１０ｂを介して受けた識別信号ＤＳ１２が示す識別コードとが一致しないため、ポートＰＴ１０、ＰＴ２０間が正しく接続されていないと判定する。
【０１３３】
このため、制御部ＣＬＴ２は、ポートＰＴ１０、ＰＴ２０にそれぞれ対応する発光部ＬＥ１０、ＬＥ２０を、オレンジ点滅または赤点滅させる。図７の例では、ポートＰＴ１０、ＰＴ２０のペアより選択の優先順位が低いポートＰＴ１１、ＰＴ２２のペアも正しく接続されていない。このため、制御部ＣＬＴ２ａは、ポートＰＴ１０、ＰＴ２０のペアを接続対象のポートＰＴとして選択する。したがって、制御部ＣＬＴ２ａは、ポートＰＴ１０、ＰＴ２０にそれぞれ対応する発光部ＬＥ１０、ＬＥ２０を、オレンジ点滅させる。例えば、制御部ＣＬＴ２ａは、発光部ＬＥ２０をオレンジ点滅させるように、制御部ＣＬＴ２ｂに指示する。
【０１３４】
また、制御部ＣＬＴ２ａは、接続対象のポートＰＴとして選択しなかったポートＰＴ１１、ＰＴ２２にそれぞれ対応する発光部ＬＥ１１、ＬＥ２２を、赤点滅させる。例えば、制御部ＣＬＴ２ａは、発光部ＬＥ２２を赤点滅させるように、制御部ＣＬＴ２ｃに指示する。
【０１３５】
これにより、ユーザは、ポートＰＴ１０、ＰＴ１１、ＰＴ２０、ＰＴ２２が正しく接続されていないことを、視覚的に判断できる。さらに、ユーザは、オレンジ点滅している発光部ＬＥ１０に隣接するポートＰＴ１０とオレンジ点滅している発光部ＬＥ２０に隣接するポートＰＴ２０とを光ケーブルＣＢＬ１で接続すればよいことを、視覚的に判断できる。
【０１３６】
なお、制御部ＣＬＴ２ａは、例えば、ポートＰＴ１０、ＰＴ２０間が正しく接続されたとき、発光部ＬＥ１０、ＬＥ２０をオレンジ点滅から緑点灯に変更する。そして、制御部ＣＬＴ２ａは、例えば、ポートＰＴ１１、ＰＴ２２のペアを接続対象のポートＰＴとして選択し、発光部ＬＥ１１、ＬＥ２２を赤点滅からオレンジ点滅に変更する。このように、制御部ＣＬＴ２は、発光部ＬＥの発光をポートＰＴの接続状態に基づいて制御し、ポートＰＴ間の接続状態等をユーザに知らせる。
【０１３７】
ここで、制御部ＣＬＴ２は、例えば、入力ポートＰＴ２０の期待値とフィルタＦＬ１０ｂを介して受けた識別信号ＤＳ１２が示す識別コードとが一致しないとき、識別信号ＤＳ１２が示す出力ポートＰＴ１２に対応する発光部ＬＥ１２を赤点滅させてもよい。この場合、制御部ＣＬＴ２は、例えば、ガイド対象の全ての入力ポートＰＴが正しく接続されていることを検出したとき、発光部ＬＥ１２を赤点滅から消灯に変更する。
【０１３８】
図９は、図６に示した光伝送装置ＯＳＹＳ２における接続ガイドの動作の一例を示している。図９の動作は、ハードウエアのみで実現されてもよく、ハードウエアをソフトウエアにより制御することにより実現されてもよい。例えば、接続ガイドプログラム等のソフトウエアは、図９の動作をコンピュータに実行させてもよい。すなわち、コンピュータは、接続ガイドプログラムを記録した記憶媒体を読み取り、図９の動作を実行してもよい。
【０１３９】
なお、例えば、制御部ＣＬＴ２は、ステップＳ２００が実行される前に、入力ポートＰＴの期待値として、入力ポートＰＴの正しい接続先である出力ポートＰＴを特定するための識別コードを、判定部ＪＧに予め通知している。また、図９の動作は、例えば、定期的に実行される。
【０１４０】
図９の動作では、発光部ＬＥのオレンジ点滅は、接続対象であることを示す発光状態に対応し、発光部ＬＥの緑点灯は、接続対象であることを示す発光状態と異なる状態に対応している。また、例えば、発光部ＬＥの赤点滅は、ポートＰＴ間が正しく接続されていないことを示す発光状態に対応している。
【０１４１】
ステップＳ２００では、判定部ＪＧは、入力ポートＰＴで受けた光信号に含まれる識別信号（識別コード）と期待値とを比較する。正しく接続された入力ポートＰＴで受けた光信号に含まれる識別信号（識別コード）は、期待値と一致する。
【０１４２】
したがって、判定部ＪＧは、入力ポートＰＴで受けた光信号に含まれる識別信号（識別コード）と期待値との比較結果に基づいて、正しく接続されていないポートＰＴを検出できる。例えば、判定部ＪＧは、期待値に一致しない識別信号を判定部ＪＧに伝送した入力ポートＰＴは出力ポートＰＴに正しく接続されていないと判定する。また、判定部ＪＧは、識別信号を判定部ＪＧに伝送していない入力ポートＰＴを未接続のポートＰＴ（正しく接続されていないポートＰＴ）と判定する。
【０１４３】
このように、判定部ＪＧは、分離部ＤＶで分かれた２つ経路の一方を介して受ける光信号に含まれる識別信号に基づいて、出力ポートＰＴと入力ポートＰＴとが正しく接続されているか否かを判定する。
【０１４４】
ステップＳ２１０では、制御部ＣＬＴ２は、ステップＳ２００の判定結果に基づいて、正しく接続されていないポートＰＴが存在するか否かを判定する。正しく接続されていないポートＰＴが存在するとき（ステップＳ２１０のＹｅｓ）、制御部ＣＬＴ２の動作は、ステップＳ２３０に移る。一方、正しく接続されていないポートＰＴが存在しないとき（ステップＳ２１０のＮｏ）、制御部ＣＬＴ２の動作は、ステップＳ２２０に移る。すなわち、定期的なチェックにより、正しく接続されていないポートＰＴが検出されたとき、ステップＳ２３０以降の接続ガイドの処理が実行される。
【０１４５】
ステップＳ２２０では、制御部ＣＬＴ２は、正しく接続されたポートＰＴに対応する発光部ＬＥを緑点灯させ、接続ガイドの動作を終了する。なお、既に緑点灯している発光部ＬＥは、緑点灯を継続する。これにより、ユーザは、ガイド対象の全てのポートＰＴが正しく接続されていることを、視覚的に判断できる。
【０１４６】
ステップＳ２３０では、制御部ＣＬＴ２は、正しく接続されていないポートＰＴに対応する発光部ＬＥを赤点滅させ、正しく接続されたポートＰＴに対応する発光部ＬＥを緑点灯させる。これにより、ユーザは、正しく接続されていないポートＰＴが存在することを、視覚的に判断できる。
【０１４７】
ステップＳ２４０では、制御部ＣＬＴ２は、正しく接続されていないポートＰＴから、接続対象の２つのポートＰＴを選択する。なお、正しく接続されていないポートＰＴのペアが複数存在する場合、制御部ＣＬＴ２は、例えば、優先順位の高いポートＰＴのペアを選択する。そして、制御部ＣＬＴ２は、選択した２つのポートＰＴにそれぞれ対応する発光部ＬＥをオレンジ点滅させる。これにより、ユーザは、接続対象のポートＰＴのペアを容易に判断できる。
【０１４８】
このように、制御部ＣＬＴ２は、出力ポートＰＴと入力ポートＰＴとが正しく接続されていないことを検出したとき、正しく接続されていない出力ポートＰＴおよび入力ポートＰＴから接続対象の出力ポートＰＴおよび入力ポートＰＴを選択する。そして、制御部ＣＬＴ２は、選択した２つのポートＰＴ（出力ポートＰＴおよび入力ポートＰＴ）にそれぞれ対応する発光部ＬＥを、接続対象であることを示す発光状態（例えば、オレンジ点滅）に設定する。
【０１４９】
ステップＳ２５０では、判定部ＪＧは、ステップＳ２４０で選択された接続対象の入力ポートＰＴで受けた識別信号（識別コード）が期待値と一致するか否かを判定する。接続対象の入力ポートＰＴで受けた識別信号（識別コード）が期待値と一致するとき（ステップＳ２５０のＹｅｓ）、光伝送装置ＯＳＹＳ２の動作は、ステップＳ２６０に移る。一方、接続対象の入力ポートＰＴで受けた識別信号（識別コード）が期待値と一致しないとき（ステップＳ２５０のＮｏ）、光伝送装置ＯＳＹＳ２の動作は、ステップＳ２５０に戻る。すなわち、光伝送装置ＯＳＹＳ２は、接続対象の入力ポートＰＴが出力ポートＰＴに正しく接続されるまで、ステップＳ２６０以降の処理を実行せずに待機する。
【０１５０】
ステップＳ２６０では、制御部ＣＬＴ２は、ステップＳ２４０でオレンジ点滅させた発光部ＬＥの発光を、オレンジ点滅から緑点灯に変更する。このように、制御部ＣＬＴ２は、ステップＳ２４０で選択した出力ポートＰＴの識別信号を含む光信号を、ステップＳ２４０で選択した入力ポートＰＴで受けたとき、選択した２つのポートＰＴにそれぞれ対応する発光部ＬＥを緑点灯させる。
【０１５１】
すなわち、接続対象であることを示す発光状態に設定されていた発光部ＬＥは、接続対象の出力ポートＰＴの識別信号を含む光信号を、接続対象の入力ポートＰＴで受けたとき、接続対象であることを示す発光状態と異なる状態に設定される。これにより、ユーザは、接続対象の２つのポートＰＴ間が正しく接続されたことを、視覚的に判断できる。
【０１５２】
ステップＳ２７０では、光伝送装置ＯＳＹＳ２は、正しく接続されていないポートＰＴが存在するか否かを判定する。例えば、制御部ＣＬＴ２は、ステップＳ２００、Ｓ２１０により検出された正しく接続されていないポートＰＴのうちのガイド対象のポートＰＴの全てに対して、ステップＳ２４０−Ｓ２６０の処理（接続ガイド）が実行されたか否かを判定する。なお、光伝送装置ＯＳＹＳ２は、ステップＳ２００、Ｓ２１０と同様の動作を実行することにより、正しく接続されていないポートＰＴが存在するか否かを判定してもよい。
【０１５３】
正しく接続されていないポートＰＴが存在するとき（ステップＳ２７０のＹｅｓ）、光伝送装置ＯＳＹＳ２の動作は、ステップＳ２４０に戻る。一方、正しく接続されていないポートＰＴが存在しないとき（ステップＳ２７０のＮｏ）、光伝送装置ＯＳＹＳ２の接続ガイドに関する動作は、終了する。すなわち、ガイド対象の全てのポートＰＴが正しく接続されるまで、ステップＳ２４０−Ｓ２６０の処理（接続ガイド）が繰り返される。
【０１５４】
なお、光伝送装置ＯＳＹＳ２の接続ガイドの動作は、この例に限定されない。例えば、ステップＳ２３０、Ｓ２４０は、区別することなく、実行されてもよい。あるいは、ステップＳ２５０−Ｓ２７０は、省かれてもよい。この場合、例えば、光伝送装置ＯＳＹＳ２の動作は、ステップＳ２４０の後、ステップＳ２００に戻る。また、選択の優先順位は、設定されていなくてもよい。この場合、例えば、制御部ＣＬＴ２は、ステップＳ２４０において、制御部ＣＬＴ２は、正しく接続されていないポートＰＴから、接続対象のポートＰＴのペアをランダムに選択してもよい。
【０１５５】
以上、図６から図９に示した実施形態においても、図１から図５に示した実施形態と同様の効果を得ることができる。例えば、光信号を出力する側のユニットでは、結合部ＣＰは、主信号と信号発生器ＳＧから受けた出力ポートＰＴの識別信号とを波長多重して出力ポートＰＴに伝送する。また、光信号を受ける側のユニットでは、判定部ＪＧは、入力ポートＰＴで受けた光信号に含まれる識別信号と期待値との比較結果に基づいて、出力ポートＰＴと入力ポートＰＴとが正しく接続されているか否かを判定する。そして、制御部ＣＬＴ２は、判定部ＪＧの判定結果に基づいて、発光部ＬＥの発光を制御する。
【０１５６】
例えば、制御部ＣＬＴ２は、正しく接続されていないポートＰＴに隣接する発光部ＬＥを赤点滅させ、正しく接続されたポートＰＴに隣接する発光部ＬＥを緑点灯させる。さらに、制御部ＣＬＴ２は、正しく接続されていないポートＰＴが存在するとき、接続対象の２つのポートＰＴを選択し、選択した２つのポートＰＴにそれぞれ隣接する発光部ＬＥをオレンジ点滅させる。すなわち、接続対象の２つのポートＰＴに対応する発光部ＬＥは、接続対象であることを示す発光状態に設定される。
【０１５７】
これにより、ユーザは、接続対象の２つのポートＰＴを視覚的に判断できる。さらに、この実施形態では、接続対象の２つのポートＰＴが正しく接続されたとき、接続対象の２つのポートＰＴにそれぞれ隣接する発光部ＬＥを、接続対象であることを示す発光状態と異なる状態（例えば、緑点灯）に変更する。これにより、ユーザは、接続対象の２つのポートＰＴ間が正しく接続されたことを、視覚的に判断できる。これにより、接続ミスが防止される。
【０１５８】
また、この実施形態では、ユニット間の接続を切り替える光スイッチ等を使用せずに、信号発生器ＳＧ、結合部ＣＰ、分離部ＤＶ、フィルタＦＬ、発光部ＬＥ等を用いて接続ガイドを実行するため、製造コストの増加を抑制できる。すなわち、この実施形態では、製造コストの増加を抑制しつつ、接続ミスを防止できる。
【０１５９】
また、この実施形態では、出力ポートＰＴの識別信号が光信号の主信号と異なる波長であるため、出力ポートＰＴの識別コードを光信号の主信号を用いて伝送する場合に比べて、光信号の主信号を有効に使用できる。
【０１６０】
以上の詳細な説明により、実施形態の特徴点および利点は明らかになるであろう。これは、特許請求の範囲がその精神および権利範囲を逸脱しない範囲で前述のような実施形態の特徴点および利点にまで及ぶことを意図するものである。また、当該技術分野において通常の知識を有する者であれば、あらゆる改良および変更に容易に想到できるはずである。したがって、発明性を有する実施形態の範囲を前述したものに限定する意図はなく、実施形態に開示された範囲に含まれる適当な改良物および均等物に拠ることも可能である。
【符号の説明】
【０１６１】
ＡＭＰ‥増幅部；ＢＴ‥ボタン；ＣＰ１０−ＣＰ１４‥結合部；ＣＴＬ１、ＣＴＬ２ａ、ＣＴＬ２ｂ、ＣＴＬ２ｃ‥制御部；ＤＭＵＸ‥分波器；ＤＶ１０−ＤＶ１２‥分離部；ＦＬ１０ａ、ＦＬ１０ｂ、ＦＬ１１ａ、ＦＬ１１ｂ、ＦＬ１２ａ、ＦＬ１２ｂ‥フィルタ；ＪＧ１０、ＪＧ１１‥判定部；ＬＥ１０−ＬＥ１４、ＬＥ２０−ＬＥ２２‥発光部；ＭＵＸ‥合波器；ＯＳＹＳ、ＯＳＹＳ２‥光伝送装置；ＰＴ１０−ＰＴ１４、ＰＴ２０−ＰＴ２２、ＰＴ１００、ＰＴ２００、ＰＴ２０１‥ポート；ＳＧ１０−ＳＧ１４‥信号発生器；ＳＨ１０−ＳＨ１４‥シャッタ部；ＵＡＭＰ、ＵＡＭＰ２‥アンプユニット；ＵＭＬＤＸ、ＵＭＬＤＸ２‥多重分離ユニット；ＵＷＳＳ、ＵＷＳＳ２‥波長選択スイッチユニット；ＷＳＳ‥波長選択スイッチ
【図１】
2015162881.tif 000003
【図２】
2015162881.tif 000004
【図３】
2015162881.tif 000005
【図４】
2015162881.tif 000006
【図５】
2015162881.tif 000007
【図６】
2015162881.tif 000008
【図７】
2015162881.tif 000009
【図８】
2015162881.tif 000010
【図９】
2015162881.tif 000011